(57)【要約】【課題】放送関連情報から速報性を有する情報をできるだけ的確に取得してユーザに告知できるようにする。【解決手段】番組とともに伝送される放送関連情報を取得する。そのうえで、今回取得された放送関連情報が前回取得された放送関連情報に対して変化している場合に、今回取得された放送関連情報から前回取得された放送関連情報に対する差分内容を抽出し、抽出した差分内容を含む差分情報を生成する。そして、この生成した差分情報を表示させる。【選択図】図２
2014007443.tif 000002
【特許請求の範囲】
【請求項１】
放送される番組に関連する情報を含む放送関連情報を取得する放送関連情報取得部と、
今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成部と、
前記差分情報を表示させる表示制御部と、
を備えることを特徴とする放送受信装置。
【請求項２】
前記差分情報生成部は、
前記差分内容を有する番組を放送するチャンネルをさらに含む前記差分情報を生成し、
前記表示制御部は、
前記差分情報が含む差分内容とチャンネルを表示させる、
ことを特徴とする請求項１に記載の放送受信装置。
【請求項３】
前記差分情報生成部は、
前記差分内容を放送する番組の放送時間をさらに含む前記差分情報を生成し、
前記表示制御部は、
前記差分情報が含む差分内容と放送時間を表示させる、
ことを特徴とする請求項１または２に記載の放送受信装置。
【請求項４】
前記差分情報生成部は、予め指定された属性に該当する番組の差分情報については生成しないことを特徴とする請求項１から３のいずれか一項に記載の放送受信装置。
【請求項５】
前記表示制御部は、
前記放送関連情報が示す前記差分内容に対応する番組の放送時間に基づくタイミングで前記差分情報を表示させる、
ことを特徴とする請求項１から４のいずれか一項に記載の放送受信装置。
【請求項６】
表示中の前記差分情報を指定する操作が行われるのに応じて、前記表示中の差分情報の内容を放送する番組を視聴可能なように制御する視聴制御部をさらに備える、
ことを特徴とする請求項１から５のいずれか一項に記載の放送受信装置。
【請求項７】
前記視聴制御部は、
前記表示中の差分情報の内容を放送する番組が現在放送中である場合には、前記番組の画像が表示されるように制御する、
ことを特徴とする請求項６に記載の放送受信装置。
【請求項８】
前記視聴制御部は、
前記表示中の差分情報の内容を放送する番組が未来において放送されるものである場合には、前記番組の録画予約が行われるように制御する、
ことを特徴とする請求項６または７に記載の放送受信装置。
【請求項９】
放送される番組に関連する情報を含む放送関連情報を取得する放送関連情報取得ステップと、
今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成ステップと、
前記差分情報を表示させる表示制御ステップと、
を備えることを特徴とする放送受信方法。
【請求項１０】
コンピュータに、
放送される番組に関連する情報を含む放送関連情報を取得する放送関連情報取得ステップと、
今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成ステップと、
前記差分情報を表示させる表示制御ステップと、
を実行させるためのプログラム。
【発明の詳細な説明】
【技術分野】
【０００１】
本発明は、放送受信装置、放送受信方法およびプログラムに関する。
【背景技術】
【０００２】
テレビジョン放送においては、放送される番組ごとに関連した番組情報が提供されている。一例として、放送前に提供される事前番組情報と、放送直前または放送後において提供される放送番組情報との番組タイトルを照合して両者を対応付けることにより、番組編成変更に係わらず、事前番組情報の内容を利用できるようにした構成が知られている（例えば、特許文献１参照）。
【先行技術文献】
【特許文献】
【０００３】
【特許文献１】特開２００７−２５１７４３号公報
【発明の概要】
【発明が解決しようとする課題】
【０００４】
例えば、ニュースなどのように生放送で行われる情報番組などは、その放送中に新たな事件や出来事が起こるのに応じて、番組内の編成を変更してそれに関する情報を適宜提供するといったことが可能である。つまり、このような番組はリアルタイム性を有している。
しかし、例えばドラマなどのようにリアルタイム性を持たない番組を視聴している場合には、そのときに何らかの出来事が発生したとしても、その番組の進行途中において、その出来事についての速報が提供されることはない。
【０００５】
さほど公共性や緊急性は高くはないが、速報として知らされればユーザにとって有益な情報というものが存在する。そこで、このような速報性を持つ情報を、リアルタイム性を有さない番組を視聴している状況のユーザにも提供できるようにすれば利便性や娯楽性などが高まって好ましい。
上記のような速報としての情報を取得しようとした場合、１つには、ユーザが視聴していないチャンネルの音声や字幕を解析し、その内容が速報に価する情報であるかどうかを判断するというものを考えることができる。しかし、現状においては、音声や字幕の解析からは速報性を有する情報であるか否かの判断が難しく、また、処理負荷も非常に大きい。
特許文献１は、例えば番組情報の変更に対応した技術ではあるが、事前番組情報とその後の番組情報との番組の対応関係を特定するというものであるために、速報性を持つ情報を特定することはできない。
【０００６】
本発明は、このような事情に鑑みてなされたもので、放送関連情報から速報性を有する情報を的確に告知できるようにすることを目的とする。
【課題を解決するための手段】
【０００７】
上述した課題を解決するために、本発明の放送受信装置は放送される番組に関連する情報を含む放送関連情報を取得する放送関連情報取得部と、今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成部と、前記差分情報を表示させる表示制御部とを備えることを特徴とする放送受信装置。
【０００８】
また、本発明の放送受信装置において、前記差分情報生成部は、前記差分内容を有する番組を放送するチャンネルをさらに含む前記差分情報を生成し、前記表示制御部は、前記差分情報が含む差分内容とチャンネルを表示させる。
【０００９】
また、本発明の放送受信装置において、前記差分情報生成部は、前記差分内容を放送する番組の放送時間をさらに含む前記差分情報を生成し、前記表示制御部は、前記差分情報が含む差分内容と放送時間を表示させる。
【００１０】
また、本発明の放送受信装置において、前記差分情報生成部は、予め指定された属性に該当する番組の差分情報については生成しない。
【００１１】
また、本発明の放送受信装置において、前記表示制御部は、前記放送関連情報が示す前記差分内容に対応する番組の放送時間に基づくタイミングで前記差分情報を表示させる。
【００１２】
また、本発明の放送受信装置は、表示中の前記差分情報を指定する操作が行われるのに応じて、前記表示中の差分情報の内容を放送する番組を視聴可能なように制御する視聴制御部をさらに備える。
【００１３】
また、本発明の放送受信装置において、前記視聴制御部は、前記表示中の差分情報の内容を放送する番組が現在放送中である場合には、前記番組の画像が表示されるように制御する。
【００１４】
また、本発明の放送受信装置において、前記視聴制御部は、前記表示中の差分情報の内容を放送する番組が未来において放送されるものである場合には、前記番組の録画予約が行われるように制御する。
【００１５】
また、本発明の一態様としての放送受信方法は、放送される番組に関連する情報を含む放送関連情報を取得する放送関連情報取得ステップと、今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成ステップと、前記差分情報を表示させる表示制御ステップとを備える。
【００１６】
また、本発明の一態様としてのプログラムは、コンピュータに、放送される番組に関連する情報を含む放送関連情報を取得する放送関連情報取得ステップと、今回取得された放送関連情報が前回取得された放送関連情報に対して変化している場合に、今回取得された放送関連情報から前回取得された放送関連情報に対する差分内容を抽出し、抽出した差分内容を含む差分情報を生成する差分情報生成ステップと、前記差分情報を表示させる表示制御ステップとを実行させるためのものである。
【発明の効果】
【００１７】
以上説明したように、この発明によれば、放送関連情報から速報性を有する情報を的確に告知できるという効果が得られる。
【図面の簡単な説明】
【００１８】
【図１】本実施形態における放送受信装置の構成例を示す図である。
【図２】本実施形態の放送受信装置における制御部の構成例を示す図である。
【図３】本実施形態における差分情報テーブルの構成例を示す図である。
【図４】本実施形態における差分情報の表示態様例を示す図である。
【図５】本実施形態における差分情報の表示態様例を示す図である。
【図６】本実施形態における放送受信装置が実行する処理手順例を示す図である。
【図７】本実施形態の放送受信装置における差分情報生成部が実行する差分情報生成のための処理手順例を示す図である。
【図８】本実施形態の放送受信装置における表示制御部が実行する差分情報表示のための処理手順例を示す図である。
【図９】本実施形態における制御部が実行する差分情報確認操作に応じた処理手順例を示す図である。
【図１０】本実施形態の変形例としての制御部の構成例を示す図である。
【図１１】本実施形態の変形例における制御部が実行する処理手順例を示す図である。
【発明を実施するための形態】
【００１９】
図１は、本実施形態の放送受信装置の構成例を示している。この図に示す放送受信装置は、例えば地上波デジタルテレビジョン放送を受信して画像を表示することができる。
この図に示す放送受信装置は、チューナ部１０１−１、１０１−２、復調部１０２−１、１０２−２、デマルチプレクサ１０３、映像デコーダ１０４、映像処理部１０５、表示部１０６、音声デコーダ１０７、音声処理部１０８、アンプ１０９、スピーカ１１０、制御部１１１、番組記憶部１１２および操作部１１３を備える。
【００２０】
チューナ部１０１−１、１０１−２は、それぞれ、地上波デジタルテレビジョン放送の放送信号を入力して選局を行う。なお、以降において、チューナ部１０１−１と１０１−２とで特に区別する必要のない場合には、チューナ部１０１と記載する。
本実施形態においては、上記のように２つのチューナ部１０１を備えることによって、一方のチューナ部１０１によりユーザの視聴番組を選局させた状態としておきながら、そのバックグラウンドで他方のチューナ部１０１により視聴番組以外のチャンネル（テレビジョン放送ごとに割り当てられた周波数帯域に付された番号をいう）ごとのＥＩＴを抽出して差分情報を生成することができる。
【００２１】
復調部１０２−１、１０２−２は、それぞれ、チューナ部１０１−１、１０１−２により選局された信号を復調して、例えば選局されたチャンネルに対応する放送信号を含むトランスポートストリームを出力する。なお、以降において、復調部１０２−１と１０２−２とで特に区別しない場合には、復調部１０２と記載する。
【００２２】
デマルチプレクサ１０３は、トランスポートストリームを入力して映像データと音声データと各種制御データとを分離する。デマルチプレクサ１０３は、分離した映像データを映像デコーダ１０４に出力し、分離した音声データを音声デコーダ１０７に出力する。また、デマルチプレクサ１０３は、分離した各種制御データを制御部１１１に出力する。
【００２３】
映像デコーダ１０４は、映像データを入力して復号処理（デコード）を実行することで所定形式のデジタル映像信号を映像処理部１０５に出力する。映像処理部１０５は、デジタル映像信号を入力して、画像表示のための所定の信号処理を施して表示部１０６に供給する。
表示部１０６は、映像処理部１０５から供給された映像信号を画像として表示する。
【００２４】
音声デコーダ１０７は、音声データを入力して復号処理（デコード）を実行することで所定形式のデジタル音声信号を音声処理部１０８に出力する。音声処理部１０８は、デジタル音声信号を入力して所定の信号処理を施してアンプ１０９に出力する。アンプ１０９は、入力された音声信号を増幅してスピーカ１１０から音として出力させる。
【００２５】
制御部１１１は、図１に示す各部を制御することにより、放送受信装置としての機能や動作を実現する。制御部１１１は、例えばＣＰＵ（Central Processing Unit）、ＲＡＭ(Random Access Memory)およびＲＯＭ（Read Only Memory）などを備えて構成することができる。
【００２６】
また、本実施形態の制御部１１１は、デマルチプレクサ１０３から出力される制御情報の１つであるＥＩＴ（Event Information Table）の差分を抽出する。そして、制御部１１１は、抽出した差分の情報を、告知情報として、そのときに表示されている番組の画像に重畳して表示させるための制御を実行する。
【００２７】
番組記憶部１１２は、放送番組の映像音声を記憶する。この番組記憶部１１２に対応するハードウェアとしては、例えばＨＤＤ（Hard disc Drive）やフラッシュメモリなどを採用できる。
【００２８】
操作部１１３は、本実施形態の放送受信装置が備える操作子を一括して示している。また、本実施形態の放送受信装置がリモートコントローラを備える場合、操作部１１３は、このリモートコントローラと、これに対応する受信部を含む。
【００２９】
図２は、本実施形態における差分情報の表示に対応する制御部１１１の機能構成例を示している。
この図に示す制御部１１１は、選局制御部１２１、放送関連情報取得部１２２、放送関連情報記憶部１２３、ＴＯＴ取得部１２４、放送関連情報変化判定部１２５、差分情報生成部１２６、差分情報記憶部１２７、表示制御部１２８、視聴制御部１２９および録画予約部１３０を備える。
【００３０】
選局制御部１２１は、図１に示したチューナ部１０１−１と１０１−２が選局するチャンネルを指示する。
【００３１】
トランスポートストリームが伝送する制御情報にはＥＩＴ（Event Information Table）が含まれる。ＥＩＴは、番組の名称や放送日時、放送内容などをはじめとする番組に関連する情報を含む放送関連情報の１つである。なお、ＥＰＧ（Electrical Program Guide）は、主としてＥＩＴを利用して作成される。
放送関連情報取得部１２２は、ＥＩＴ（放送関連情報）を取得する。具体的に、放送関連情報取得部１２２は、デマルチプレクサ１０３にてトランスポートストリームから分離されたＥＩＴを取得する。
放送関連情報記憶部１２３は、放送関連情報取得部１２２により取得されたＥＩＴをＴＯＴ取得部で取得されたＴＯＴの情報とともに記憶する。
【００３２】
また、トランスポートストリームが伝送する制御情報にはＴＯＴ（Time Offset Table）が含まれる。ＴＯＴは、現在の日付、時刻およびサマータイムの情報などを含む。つまり、ＴＯＴは現在日時を示す現在日時情報である。
ＴＯＴ取得部１２４は、デマルチプレクサ１０３にてトランスポートストリームから分離されたＴＯＴを取得する。
【００３３】
放送関連情報変化判定部１２５は、放送関連情報取得部１２２により今回取得されたＥＩＴが、前回取得されて放送関連情報記憶部１２３に記憶されているＥＩＴに対して変化しているか否かについて判定する。
ＥＩＴは、その内容が変更されるのに応じてそのバージョン番号も変更される。また、ＥＩＴは、その内容に変更が無くとも、ＴＯＴが示す日付が変更されるのに応じて変更される。そこで、放送関連情報変化判定部１２５は、今回取得されたＥＩＴのバージョンが前回取得されたＥＩＴのバージョンと異なり、かつ、今回取得されたＥＩＴと前回取得されたＥＩＴのそれぞれに対応するＴＯＴの示す日付が同じ（変更がない）場合に、ＥＩＴが変化したと判定する。
【００３４】
差分情報生成部１２６は、放送関連情報変化判定部１２５によりＥＩＴの変化の有ったことが判定されたのに応じて差分情報を生成する。差分情報とは、今回取得されたＥＩＴの前回取得されたＥＩＴに対する差分内容を含む情報である。より具体的には、差分情報は、差分内容に対して、この差分内容を有する番組を放送するチャンネルと放送時間の情報を対応付けて形成される。
ＥＩＴは、１つの番組に関する情報として、番組タイトルや出演者や番組説明などの番組内容情報と、チャンネルと放送時間帯の情報を含む。差分情報において、差分内容は、今回取得されたＥＩＴと前回取得されたＥＩＴの番組内容情報の差分である。また、差分情報におけるチャンネルと放送時間帯の情報には、それぞれ、差分情報を取得した番組に対応してＥＩＴにおいて示されるチャンネルと放送時間帯が反映される。
【００３５】
差分情報記憶部１２７は、差分情報生成部１２６により生成された差分情報を記憶する。
図３は、差分情報記憶部１２７が記憶する差分情報テーブル３００の構造例を示している。この図に示す１行（１レコード）が１つの差分情報である。
この図から分かるように、差分情報テーブル３００は、チャンネルと放送時間と差分内容とを含む差分情報を１以上格納した構造を有する。
【００３６】
なお、この図に示す差分情報テーブル３００において、１行目から３行目の差分情報における差分内容は、若干の違いはあるものの「○△□さん結婚」というキーワードが共通している。ただし、これらの差分情報に対応するチャンネルは、それぞれ、「０８２」、「０１１」、「０３２」と異なっている。また、放送時間帯については、それぞれ同じになっている。
これら１行目から３行目の差分情報は、互いにチャンネルは異なるが、放送時間帯が同じ３つの番組において、それぞれ、○△□さんの結婚に関する内容を放送することが予定されたＥＩＴ内の番組情報から抽出されたものであることを示している。
【００３７】
また、差分情報テーブル３００における４行目の差分内容は、「特別番組  ＡＢＣ事件中継」となっている。これは、該当チャンネルの放送での番組編成において特別番組が挿入されるという変更が行われたのに応じて、その挿入された特別番組についての番組内容が差分内容に反映されたものである。この差分情報の放送時間は、この特別番組が放送される時間帯を示すものとなる。
【００３８】
また、差分情報テーブル３００における５行目の差分内容は、「映画  惑星ウォーズ」となっている。これは、該当チャンネルにおいて放送日時として示される時間帯が映画を放送する枠として確保されてはいたが映画タイトルが未定であった状態から、映画タイトルが決定されたことでＥＩＴが変化したことを反映している。
【００３９】
説明を図２に戻す。
表示制御部１２８は、表示部１０６に差分情報を表示させる。このために、表示制御部１２８は、差分情報記憶部１２７に記憶される差分情報テーブル３００から表示に必要な差分情報を読み出す。そして、この読み出した差分情報のデータを映像処理部１０５に出力する。このとき映像処理部１０５は、映像デコーダ１０４から入力した番組の映像信号を表示部１０６に表示させているが、差分情報のデータを入力すると、この差分情報の内容を示す画像を生成して、これまで表示させていた番組の画像とともに表示させる。
【００４０】
視聴制御部１２９は、表示部１０６にて表示中の差分情報を指定するための操作が操作部１１３に対して行われるのに応じて、表示中の差分情報の内容を放送する番組をユーザが視聴可能なように制御する。例えば、視聴制御部１２９は、表示中の差分情報の内容を放送する番組が現在放送中である場合には、その番組の画像が表示されるように制御する。この際、視聴制御部１２９は、差分情報の内容を有する番組を放送するチャンネルを選局する状態にチューナ部１０１が切り替わるように選局制御部１２１に指示を行う。
また、視聴制御部１２９は、表示中の差分情報の内容を放送する番組が未来において放送されるものである場合には、番組の録画予約が行われるように制御する。この際、視聴制御部１２９は、録画予約部１３０を制御する。
【００４１】
録画予約部１３０は、番組の予約録画を設定する。この予約録画設定に際して、録画予約部１３０は、放送関連情報記憶部１２３に記憶されるＥＩＴを利用することができる。
【００４２】
次に、図４と図５を参照して、表示部１０６における差分情報の表示態様例を示す。なお、これらの図においては、図３の差分情報テーブル３００における１行目の差分情報を表示させる場合を例に挙げる。
【００４３】
図４（ａ）は、表示部１０６において表示される番組の画像に重畳させるように差分内容２０１を示す文字を表示させた例である。なお、この場合においては、差分内容２０１としてのテキストをテロップ形式により表示させている。
このように差分内容２０１が表示されることで、ユーザは、例えばドラマなどのリアルタイム性の無い番組を視聴していても、芸能人の○△□さんが結婚を発表したことを知ることができる。
【００４４】
図４（ｂ）は、表示部１０６において表示される番組の画像に対して、差分内容２０１とともに、放送時間２０２とチャンネル２０３を表示させた例である。このように放送時間２０２とチャンネル２０３もともに表示されることにより、ユーザは、○△□さんが結婚したことについて放送する番組のチャンネルと放送時間帯を知ることができる。
【００４５】
図４（ｃ）は、表示部１０６において番組の画像をある程度縮小して表示させたうえで、これにより番組の画像が非表示となる領域に対して、差分内容２０１と放送時間２０２とチャンネル２０３を表示させた例である。このように表示することで、差分情報の表示が番組の画像と重複しなくなって見やすくなる。
【００４６】
図５（ａ）では、表示部１０６の画面において、テレビジョン受像機向けのインターネットサービス用のポータルサイトが表示されている。そして、このポータルサイト内の所定位置に差分情報として差分内容２０１を表示させたものである。
【００４７】
また、図５（ｂ）は、電子番組表とともに、差分情報としての差分内容２０１と放送時間２０２とチャンネル２０３を表示させた例を示している。
【００４８】
上記図４と図５に示したように差分情報を表示させることで、例えば緊急性や高い公共性を有してはいないが、ある程度有益な情報を比較的迅速に知ることができる。
【００４９】
なお、差分情報を表示させるタイミングとして、例えば１つには、放送関連情報変化判定部１２５によりＥＩＴに変化のあることが判定されたタイミングに応じて、差分情報生成部１２６が生成した差分情報を、即座に表示部１０６に表示させればよい。
また、差分情報の放送時間が示す放送開始時刻（またはその少し前でもよい）に至ったタイミングで、差分情報を表示させてもよい。
さらには、ユーザによる差分情報の表示を指示する操作に応じて差分情報記憶部１２７に記憶されている差分情報を表示させるようにしてもよい。
【００５０】
そのうえで、本実施形態においては、例えば、図４と図５のように差分情報が表示されている状態のもとで、差分情報の内容をより詳細に確認したい場合、ユーザは、表示中の差分情報を指定するための操作（差分情報指定操作）を行う。一例として、この差分情報指定操作は、差分情報が表示中の状態においてリモートコントローラに備えられる決定キーを操作するというものである。
【００５１】
この差分情報指定操作が行われるのに応じて、本実施形態の放送受信装置における視聴制御部１２９は、前述のように、表示された差分情報の内容を放送する番組へのチャンネル切り替え、または録画予約設定を行う。
【００５２】
つまり、差分情報指定操作を行ったときに表示中の差分情報に対応する番組が現在放送中であれば、この番組を放送するチャンネルへの切り替えが行われる。これにより、ユーザは、その番組を見ることで、表示された差分情報に関連する詳細な内容をすぐに知ることができる。
【００５３】
また、視聴制御部１２９は、差分情報指定操作が行われたときに表示されていた差分情報に対応する番組が将来放送されるものである場合、この番組の録画予約を設定する。これにより、ユーザは、表示された差分情報の内容を放送する番組を後から確実に視聴することができる。
【００５４】
図６のフローチャートは、図２に示した制御部１１１が差分情報を生成して差分情報記憶部１２７に記憶させるための処理手順例を示している。
【００５５】
まず、選局制御部１２１は、２つのチューナ部１０１のうち、番組の視聴に使用されていない側のチューナ部１０１を制御して１つの局を選局させる（ステップＳ１０１）。つまり、この場合おいて、２つのチューナ部１０１のうち、番組の視聴に利用されないものは、チャンネルごとに対応するＥＩＴを巡回して取得するために利用される。
【００５６】
次に、放送関連情報取得部１２２は、ステップＳ１０１により選局されたチャンネルのＥＩＴを取得する（ステップＳ１０２）。また、ＴＯＴ取得部１２４は、このＥＩＴとともに伝送されたＴＯＴを取得する（ステップＳ１０３）。
【００５７】
放送関連情報変化判定部１２５は、ステップＳ１０２により取得したＥＩＴと、前回取得したものとして放送関連情報記憶部１２３に記憶されているＥＩＴのバージョンを比較して両者が同じであるか否かについて判定する（ステップＳ１０４−ＹＥＳ）。
【００５８】
同じバージョンである場合（ステップＳ１０４−ＹＥＳ）、前回と今回とでＥＩＴの内容に変化はない。そこで、この場合、選局制御部１２１は、ステップＳ１０５〜Ｓ１０８をスキップして、選局すべきチャンネル（以降、選局チャンネルともいう）を変更する（ステップＳ１０９）。そして、ステップＳ１０１に戻って、ステップＳ１０９により変更した選局チャンネルをチューナ部１０１に選局させる。これにより、次の選局チャンネルに対応するＥＩＴの取得が行われる。
【００５９】
これに対して、バージョンが異なっている場合（ステップＳ１０４−ＮＯ）、放送関連情報変化判定部１２５は、さらに今回のステップＳ１０３により取得したＴＯＴが示す日付が、前回取得してＥＩＴとともに記憶したＴＯＴの示す日付と同じであるか否かについて判定する（ステップＳ１０５）。
【００６０】
ＴＯＴの日付が異なる場合（ステップＳ１０５−ＮＯ）、ＴＯＴの日付変更に応じたＥＩＴのバージョン変更であり、ＥＩＴ自体の内容に変更はない。この場合にも、選局制御部１２１は、ステップＳ１０６〜Ｓ１０８をスキップして、選局チャンネルを変更したうえで（ステップＳ１０９）、ステップＳ１０１に戻る。
【００６１】
一方、ＴＯＴの日付が同じ場合には（ステップＳ１０５−ＹＥＳ）、ＥＩＴの内容が変更されていることになる。そこで、この場合、差分情報生成部１２６は差分情報を生成し（ステップＳ１０６）、生成した差分情報を差分情報記憶部１２７の差分情報テーブル３００に記憶させる（ステップＳ１０７）。
【００６２】
さらに、放送関連情報記憶部１２３は、今回のステップＳ１０２により取得されたＥＩＴを記憶する（ステップＳ１０８）。この際、放送関連情報記憶部１２３は、今回のステップＳ１０２により取得されたＥＩＴで前回のＥＩＴを上書きするようにしてもよいし、前回のＥＩＴを残したまま、今回のステップＳ１０２により取得されたＥＩＴを新規に記憶してもよい。この後、選局制御部１２１は、選局チャンネルを変更して（ステップＳ１０９）ステップＳ１０１に戻る。
【００６３】
図７のフローチャートは、ステップＳ１０６としての差分情報生成のための処理手順例を示している。
差分情報生成部１２６は、図６のステップＳ１０２により取得したＥＩＴと、前回取得して放送関連情報記憶部１２３に記憶されているＥＩＴとを比較して差分内容を特定する（ステップＳ２０１）。
【００６４】
次に、差分情報生成部１２６は、ＥＩＴにおいてその差分内容を含む番組情報から、その番組が該当するジャンル（属性）を示す情報を抽出する（ステップＳ２０２）。
そして、差分情報生成部１２６は、抽出したジャンルが、差分情報の生成対象から除外すべきジャンルであるか否かについて判定する（ステップＳ２０３）。
【００６５】
本実施形態において速報として表示される差分情報は、ＥＩＴとしての番組情報の差分に基づいている。したがって、特に制限が無ければ、本実施形態においては、放送が予定される全ての番組を対象として差分情報を抽出し表示させる事が可能である。
しかし、このように表示されるすべての差分情報がユーザにとって有用であるとは限らない。一般に、ニュースや情報番組などのジャンルの番組での差分内容は速報として有用であるが、ドラマや教育番組などのジャンルの番組での差分内容に関しては、速報として表示されても特に有用ではない場合が多い。
そこで、本実施形態では、ＥＩＴにおいて定義されるジャンルのうちで、差分情報を生成しない番組のジャンルを予め定めておく。そして、ステップＳ２０３においては、その差分が発生した番組のジャンルが、差分情報の生成対象から除外すべきジャンルか否かについて判定するものである。
なお、差分情報の生成対象から除外すべき番組のジャンルは、予め固定的に定められていてもよいし、例えばユーザの好みが反映されるように、ユーザによって設定が変更可能なようにしてもよい。また、ここでのジャンル（属性）は、例えば、「ドラマ」、「ニュース」、「スポーツ」などの番組の内容に基づくもののほか、「生放送」や「録画番組」などのように放送形態などに関連したものも含まれる。
【００６６】
差分情報の生成対象から除外すべきジャンルである場合（ステップＳ２０３−ＹＥＳ）、差分情報を生成する必要はない。そこで、この場合、差分情報生成部１２６は、この図に示す処理を終了させる。つまり、差分情報生成部１２６は、予め指定されたジャンル（属性）に該当する番組の差分情報については生成しない。
【００６７】
一方、差分情報の生成対象から除外すべきジャンルでない場合（ステップＳ２０３−ＮＯ）、差分情報生成部１２６は、先のステップＳ２０１により特定した差分内容を抽出する（ステップＳ２０４）。そして、この抽出した差分内容に対して、この差分内容を抽出した番組情報が示すチャンネルと放送時間の情報を付加するように差分情報を生成する（ステップＳ２０５）。
【００６８】
図８のフローチャートは、表示制御部１２８が差分情報を表示させるための処理手順例を示している。なお、この図に示す処理は、差分情報における放送時間が示す放送開始時刻に対応するタイミングで差分情報の表示を開始させる場合を例に挙げている。
【００６９】
まず、表示制御部１２８は、差分情報記憶部１２７に記憶される差分情報テーブル３００における差分情報を参照する（ステップＳ３０１）。そして、次の表示開始時刻にその放送時間が含まれている差分情報が複数存在しているか否かについて判定する（ステップＳ３０２）。
【００７０】
次の表示開始時刻にその放送時間が含まれている差分情報が複数存在する場合（ステップＳ３０２−ＹＥＳ）、表示制御部１２８は、さらに、その複数の差分情報において同じキーワードの差分内容を含むものが複数存在するか否かについて判定する（ステップＳ３０３）。
【００７１】
ここで、同じキーワードの差分内容を含む差分情報が複数存在する場合には（ステップＳ３０３−ＹＥＳ）、これら複数の差分情報が含む差分内容のうちから出現回数が最多のキーワードを判定する（ステップＳ３０４）。出現回数が多いほど、その内容に関連して放送内容を変更した番組が多く一般の注目度も高い。したがって、ユーザに告知する価値も高いといえる。
【００７２】
また、複数の差分情報において同じキーワードの差分内容が存在せず、それぞれが異なる場合（ステップＳ３０３−ＮＯ）、表示制御部１２８は、各差分内容におけるキーワードの優先度を判定する（ステップＳ３０５）。この判定にあたっては、例えばインターネット上の検索ワードのランキングなどの情報など取得し、これらと、ランキングと複数の差分情報における差分内容ごとのキーワードとを照合すればよい。これにより、現在において一般に注目度が高いキーワードに高い優先度が設定される。
【００７３】
そして、表示制御部１２８は、ステップＳ３０１〜Ｓ３０５までの処理結果にしたがって以下のように表示対象の差分情報を決定する（ステップＳ３０６）。
つまり、表示制御部１２８は、ステップＳ３０２にて次の表示開始時刻にその放送時間が含まれている差分情報が１つしか存在していないと判定された場合には（ステップＳ３０２−ＮＯ）、その１つの差分情報を表示対象として決定する。
また、ステップＳ３０４により出現回数が最多のキーワードが判定された場合には、表示制御部１２８は、この判定されたキーワードを含む差分情報のうちから所定規則にしたがって選んだ１つの差分情報を表示対象として決定する。なお、この場合において、表示制御部１２８は、例えば出現回数が最多のものだけではなく、出現回数が所定の上位までのキーワードを含む差分情報を１つずつ表示対象として決定してもよい。
また、ステップＳ３０５よりキーワードの優先度判定が行われた場合には、表示制御部１２８は、最も優先度が高いキーワードを含む差分情報のうちから所定規則にしたがって選んだ１つの差分情報を表示対象として決定する。なお、この場合にも、表示制御部１２８は、優先度が所定の上位までのキーワードを含む差分情報を１つずつ表示対象として決定してもよい。
【００７４】
次に、表示制御部１２８は、表示開始時刻に至ったか否かについて判定する（ステップＳ３０７）。この場合において、表示開始時刻は、ステップＳ３０６により表示対象として決定された差分情報が含む放送時間が示す放送開始時刻が対応する。表示開始時刻に至っていなければ（ステップＳ３０７−ＮＯ）、表示制御部１２８は、ステップＳ３０１に戻る。
そして、表示開始時刻に至ると（ステップＳ３０７−ＹＥＳ）、表示制御部１２８は、ステップＳ３０６で表示対象として決定した差分情報を表示させるための制御を行う（ステップＳ３０８）。
【００７５】
図９は、表示部１０６の画面に表示中の差分情報を指定する操作（差分情報指定操作：例えば、決定キー操作）に応じて視聴制御部１２９が実行する処理手順例を示している。
【００７６】
視聴制御部１２９は、表示部１０６の画面に差分情報が表示されている状態において、ユーザによる差分情報指定操作が行われるのを待機している（ステップＳ４０１−ＮＯ）。
そして、差分情報確認操作が行われると（ステップＳ４０１−ＹＥＳ）、視聴制御部１２９は、そのときに表示中である差分情報が対応する番組の放送時間帯を判定する（ステップＳ４０２）。このためには、視聴制御部１２９は、例えば差分情報記憶部１２７に記憶される差分情報テーブル３００において、表示中の差分情報が含む放送時間を参照すればよい。
【００７７】
次に、視聴制御部１２９は、差分情報テーブル３００において、表示中の差分情報と同じキーワードを有し、かつ、同じ放送時間帯の差分情報が他に存在するか否かについて判定する（ステップＳ４０３）。
【００７８】
表示中の差分情報と同じキーワードと放送時間帯の差分情報が存在しない場合（ステップＳ４０３−ＮＯ）、表示中の差分情報と同じ内容を放送する番組は、その時間帯において他には存在しない。そこで、この場合には、表示中の差分情報が対応する番組を視聴対象として選択（決定）する（ステップＳ４０４）。
一方、表示中の差分情報と同じキーワードと放送時間帯の差分情報が存在する場合には（ステップＳ４０３−ＹＥＳ）、複数のチャンネルにおいて表示中の差分情報と同じ内容の番組が放送されている。そこで、この場合の視聴制御部１２９は、所定規則にしたがってこれら複数の番組のうちから１つの番組を視聴対象として選択する（ステップＳ４０５）。なお、この選択にあたり、視聴制御部１２９は、これらのチャンネルの番組の情報を表示部１０６に表示させ、これらのうちからユーザ操作に応じて選択させるようにしてもよい。
【００７９】
次に、視聴制御部１２９は、表示中の差分情報が対応する番組が放送中であるか否かについて判定する（ステップＳ４０６）。ステップＳ４０２により判定した放送時間帯が現在時刻を含んでいれば放送中である。
【００８０】
放送中である場合（ステップＳ４０６−ＹＥＳ）、視聴制御部１２９は、ステップＳ４０４またはＳ４０５により選択した視聴対象の番組を放送するチャンネルに切り替わるように、選局制御部１２１に指示を行う（ステップＳ４０７）。この指示に応じて、選局制御部１２１は、これまで表示部１０６に表示されていた番組を選局していたほうのチューナ部１０１を視聴対象の番組を放送するチャンネルに切り替える。これにより、表示部１０６の画面は、これまでの番組の画像から、差分情報の内容を放送する対象番組の画像に切り替わる。
【００８１】
一方、放送中ではない場合（ステップＳ４０５−ＹＥＳ）、視聴制御部１２９は、ステップＳ４０４またはＳ４０５により選択した視聴対象の番組について録画予約が設定されるように、録画予約部１３０を制御する（ステップＳ４０８）。
【００８２】
なお、例えば表示部１０６の画面に表示させている番組を番組記憶部１１２に録画しているとき、その画面に差分情報が表示されたとしても、この差分情報の画像は含まれないように録画が行われるようにするとよい。差分情報は速報として機能するので、後から番組の画像を鑑賞する際には、ユーザが煩わしいと感じる可能性が高いからである。
なお、例えばユーザの設定により、差分情報の表示が反映された状態の番組の画像を録画できるようにしてもよい。
【００８３】
次に、本実施形態の変形例について説明する。
デジタルテレビジョン放送では、１つのチャンネルの周波数帯域における１３セグメントのうちの中央セグメントにおけるＡＣ（Auxiliary Channel）キャリアを利用して緊急地震速報などを符号化して伝送することが提案されている。
本実施形態の変形例の放送受信装置は、このように緊急地震速報を伝送するＡＣキャリアの信号を放送関連情報として処理する。
【００８４】
図１０は、本実施形態の変形例に対応する制御部１１１の構成例を示している。この図に示す制御部１１１は、放送関連情報取得部１４１、放送関連情報変化判定部１４２、緊急情報抽出部１４３、緊急情報記憶部１４４、計時部１４５、表示制御部１４６および電源状態判定部１４７を備える。
【００８５】
放送関連情報取得部１４１は、例えば復調部１０２から出力されるＡＣキャリアの信号（ＡＣ信号）を放送関連情報として取得する。
【００８６】
放送関連情報変化判定部１４２は、放送関連情報であるＡＣ信号の所定位置に挿入される緊急情報対応のフラグの変化を判定する。
【００８７】
緊急情報抽出部１４３は、緊急情報が伝送されていることを示す状態にＡＣ信号のフラグが変化したことが放送関連情報変化判定部１４２により判定されたのに応じて、放送関連情報取得部１４１が取得したＡＣ信号から緊急情報を抽出する。つまり、変形例では、放送関連情報であるＡＣ信号の差分として、緊急情報を抽出するものである。
【００８８】
緊急情報記憶部１４４は、緊急情報抽出部１４３が抽出した緊急情報を、計時部が計測する現在時刻と対応付けて記憶する。
計時部１４５は現在時刻を計測する。
【００８９】
表示制御部１４６は、緊急情報抽出部１４３が抽出した緊急情報、または、緊急情報記憶部１４４に記憶されている緊急情報を表示部１０６に表示させる。
電源状態判定部１４７は、放送受信装置の電源がオンとオフのいずれの状態であるのかを判定する。
【００９０】
図１１のフローチャートは、図１０の制御部１１１が実行する処理手順例を示している。
放送関連情報取得部１４１は、ＡＣ信号を取得する（ステップＳ５０１）。次に、放送関連情報変化判定部１４２は、取得されたＡＣ信号における緊急情報対応のフラグに変化が有ったか否かについて判定する（ステップＳ５０２）。なお、ここでは、緊急情報が伝送されていないことを示す状態から伝送されていることを示す状態への変化を判定する。
【００９１】
緊急情報対応のフラグについて変化が無い場合には（ステップＳ５０２−ＮＯ）、ステップＳ５０１に戻る。
一方、緊急情報対応のフラグについて変化が有ると判定した場合には（ステップＳ４０２−ＮＯ）、ＡＣキャリアにより緊急情報が伝送されたことになる。これは、緊急速報が受信されたと判定していることに相当する。そこで、この場合、緊急情報抽出部１４３は、ＡＣ信号から緊急情報を抽出する（ステップＳ５０３）。
【００９２】
次に、電源状態判定部１４７は、放送受信装置の電源がオンの状態であるか否かについて判定する（ステップＳ５０４）。
電源がオンの状態である場合（ステップＳ５０４−ＹＥＳ）、表示制御部１４６は、ステップＳ５０３により抽出された緊急情報を表示部１０６に表示させる（ステップＳ５０５）。このように、ＡＣキャリアによる緊急情報が受信された際に放送受信装置の電源がオンであれば、その緊急情報が直ちに表示される。
【００９３】
また、緊急情報の表示が行われるのに伴い、緊急情報記憶部１４４は、計時部から現在時刻を取得する（ステップＳ５０６）。次に、緊急情報記憶部１４４は、ステップＳ５０３により取得された緊急情報を、ステップＳ５０６により取得された現在時刻と、表示済みであることを示すフラグを付加して記憶する（ステップＳ５０７）。
なお、このように記憶される緊急情報は、例えばユーザ操作に応じて、履歴として表示させることができる。これを見ることにより、例えばどの程度の大きさの地震がどのような頻度で発生したのかをすぐに把握できる。
【００９４】
一方、電源がオフの状態である場合、緊急情報記憶部１４４は、計時部から現在時刻を取得する（ステップＳ５０８）。そのうえで、緊急情報記憶部１４４は、ステップＳ５０３により取得された緊急情報を、ステップＳ５０８により取得された現在時刻と、未表示であることを示すフラグ（未表示であることを示す情報）を付加して記憶する（ステップＳ５０９）。
【００９５】
図示による説明は省略するが、例えば放送受信装置の電源状態がオフからオンに切り替えられると、表示制御部１４６は、緊急情報記憶部１４４に記憶されている緊急情報に付加されているフラグを参照する。そして、表示制御部１４６は、未表示を示すフラグが付加されている緊急情報を、表示部１０６に表示させる。
【００９６】
このように、変形例は、放送関連情報（ＡＣ信号）の変化に基づいて緊急情報が伝送されているか否かを判定する判定部（放送関連情報変化判定部１４２）と、緊急情報が伝送されていると判定されるのに応じて放送関連情報から緊急情報を抽出する緊急情報抽出部１４３と、電源状態を判定する電源状態判定部１４７と、緊急情報が抽出されたときの電源状態がオフであると判定されるのに応じて、この抽出された緊急情報を記憶する緊急情報記憶部と、緊急情報が抽出されたときの電源状態がオンであると判定されるのに応じて、この抽出された緊急情報を表示させるとともに、電源状態がオフからオンに変化するのに応じて、緊急情報記憶部が記憶する緊急情報を表示させる表示制御部とを備える。
【００９７】
このような構成により、変形例では、放送受信装置の電源状態がオフのときに受信された緊急情報が記憶され、電源がオンになれば自動的に表示される。これにより、ユーザは、地震発生時において放送受信装置でテレビジョン放送を視聴していなかったとしても、その後において緊急情報の内容を確認することができる。
【００９８】
なお、上記のように電源がオフからオンの状態に切り替わるのに応じて緊急情報を表示させる場合には、この表示された緊急情報が過去のものであって、現時点に対応するものではないことがユーザに分かるような態様で表示することが好ましい。一例として、「これは、○月○日××時××分に受信した情報です」のように緊急情報とともに説明文を表示させる。また、例えば、リアルタイムに表示させる緊急情報については赤色などで表示させ、電源がオンに切り替えられてから表示させる緊急情報については赤色などで表示させるというように異なる色で表示させてもよい。
【００９９】
また、例えばＡＣ信号における緊急情報は、例えば公共性を重視してチャンネル間で共通の内容を伝送することも考えられるが、チャンネルごとに異なる内容を伝送する可能性もある。チャンネルごとに異なる内容の緊急情報を伝送する場合、緊急情報抽出部１４３は、放送関連情報取得部１４１によりチャンネルごとにスキャンを行わせることで、チャンネルごとのＡＣ信号を取得させたうえで、チャンネルごとの緊急情報を抽出するようにする。そして、緊急情報記憶部１４４も、チャンネルごとに分けて緊急情報を記憶させるようにする。そして、表示制御部１４６は、チャンネルの切り替えが行われるごとに、その切り替えられたチャンネルに対応して緊急情報記憶部１４４が記憶している緊急情報が未表示である場合には、この緊急情報を表示させる。これにより、過去の緊急情報についても、チャンネルが切り替えられるのに応じて、そのチャンネルにより伝送された内容への切り替えが行われる。
【０１００】
なお、これまでの説明においては、テレビジョン放送に対応する放送関連情報を例に挙げて説明したが、例えばラジオ放送に関連する放送関連情報から差分情報を生成し、この差分情報を表示などによって告知してもよい。一例として、ラジオ放送の番組表情報を放送関連情報として取得し、この番組表情報の差分情報を表示などにより告知してもよい。
また、放送関連情報としては、これまでに挙げたＥＩＴやＡＣ信号などに限定されるものではない。また、これまでの説明におけるＥＩＴやＡＣ信号などの放送関連情報は、放送信号に含められて伝送されるものであったが、例えば、本実施形態の放送関連情報取得部１２２は、ネットワークなどの放送信号以外の経路により放送関連情報を取得してもよい。
【０１０１】
また、図２などにおける各部の機能を実現するためのプログラムをコンピュータ読み取り可能な記録媒体に記録して、この記録媒体に記録されたプログラムをコンピュータシステムに読み込ませ、実行することにより差分情報の生成および告知を行ってもよい。なお、ここでいう「コンピュータシステム」とは、ＯＳや周辺機器等のハードウェアを含むものとする。
【０１０２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１０３】
以上、この発明の実施形態について図面を参照して詳述してきたが、具体的な構成はこの実施形態に限られるものではなく、この発明の要旨を逸脱しない範囲の設計等も含まれる。
【符号の説明】
【０１０４】
１０１（１０１−１、１０１−２）  チューナ部
１０２（１０２−１、１０２−２）  復調部
１０３  デマルチプレクサ
１０４  映像デコーダ
１０５  映像処理部
１０６  表示部
１０７  音声デコーダ
１０８  音声処理部
１０９  アンプ
１１０  スピーカ
１１１  制御部
１１２  番組記憶部
１１３  操作部
１２１  選局制御部
１２２  放送関連情報取得部
１２３  放送関連情報記憶部
１２４  ＴＯＴ取得部
１２５  放送関連情報変化判定部
１２６  差分情報生成部
１２７  差分情報記憶部
１２８  表示制御部
１２９  視聴制御部
１３０  録画予約部
１４１  放送関連情報取得部
１４２  放送関連情報変化判定部
１４３  緊急情報抽出部
１４４  緊急情報記憶部
１４５  計時部
１４６  表示制御部
１４７  電源状態判定部
２０１  差分内容
２０２  放送時間
２０３  チャンネル
３００  差分情報テーブル
【図１】
2014007443.tif 000003
【図２】
2014007443.tif 000004
【図３】
2014007443.tif 000005
【図４】
2014007443.tif 000006
【図５】
2014007443.tif 000007
【図６】
2014007443.tif 000008
【図７】
2014007443.tif 000009
【図８】
2014007443.tif 000010
【図９】
2014007443.tif 000011
【図１０】
2014007443.tif 000012
【図１１】
2014007443.tif 000013